(57)【要約】【課題】ユーザが記録された情報を再生し確認することなく、異常な記録は自動的にリカバーし、ユーザの利便性を大幅に向上させる。【解決手段】録画終了後、録画した番組の録画品位の低下があった場合には、インターネット側か、或いは、アンテナ側のどちらかから、ＥＰＧを取得し、録画品位が低下した録画番組に対するリピート放送の時間を検索し（Ｓ１１０）、このリピート放送を録画予約する（Ｓ１１１）。また、録画中は、録画品位の低下を監視し（Ｓ１０４）、録画品位の低下が生じた場合には、記録異常表示ＬＥＤを点灯し（Ｓ１１４）、番組録画予定時間に対する品位低下時間の割合Ａraを計算し（Ｓ１１５）、Ａraがユーザ設定の許容範囲を超える場合には録画停止し録画済み領域を消去する処理（Ｓ１１８）、又は、録画レートを下げる処理（Ｓ１２０）をユーザ設定により行う。【選択図】図２
2005176084.tif 000002
【特許請求の範囲】
【請求項１】
情報を受信する情報受信手段と、
上記情報受信手段で得られる上記情報から予め設定した情報を所定の記録媒体に記録する情報記録手段と、
上記記録媒体に記録する情報と上記記録媒体に記録した情報の少なくともどちらかを予め設定しておいた基準値と比較して記録情報の品位の低下を検出する品位低下検出手段と、
上記品位低下検出手段で上記記録情報の品位の低下を検出した際に、上記予め設定した情報と略同様の情報の送信情報を取得し検索して、上記略同様の情報の送信予定があることを検出した場合に、該送信予定に従い上記略同様の情報の受信予約を行って上記記録媒体に記録自在にする情報記録補償手段とを備えたことを特徴とする情報記録再生装置。
【請求項２】
上記上記品位低下検出手段で上記記録情報の品位の低下を検出した際に、上記記録情報の品位の低下を報知する報知手段を有することを特徴とする請求項１記載の情報記録再生装置。
【請求項３】
上記品位低下検出手段で上記記録情報の品位の低下を検出した際に、上記予め設定した情報を上記記録媒体に記録する全体の記録時間の中での上記品位が低下した情報記録の時間の割合を演算する品位低下時間割合演算手段を有し、
上記情報記録補償手段は、上記品位低下時間割合演算手段で演算した上記品位が低下した情報記録の時間の割合が予め設定しておいた許容割合を超える場合に、上記予め設定した情報の記録を停止させ、上記予め設定した情報について既に記録した情報を消去させることを特徴とする請求項１又は請求項２記載の情報記録再生装置。
【請求項４】
上記品位低下検出手段で上記記録情報の品位の低下を検出した際に、上記予め設定した情報を上記記録媒体に記録する全体の記録時間の中での上記品位が低下した情報記録の時間の割合を演算する品位低下時間割合演算手段を有し、
上記情報記録補償手段は、上記品位低下時間割合演算手段で演算した上記品位が低下した情報記録の時間の割合が予め設定しておいた許容割合を超える場合に、記録するレートを現在の記録レートより低く設定することを特徴とする請求項１又は請求項２記載の情報記録再生装置。
【請求項５】
上記情報受信手段で受信する情報は、放送局からの放送電波であることを特徴とする請求項１乃至請求項４の何れか一つに記載の情報記録再生装置。
【請求項６】
上記情報記録補償手段が取得し検索する上記予め設定した情報と略同様の情報の送信情報は、放送の電子プログラムガイドであることを特徴とする請求項５記載の情報記録再生装置。
【請求項７】
上記情報記録補償手段は、上記電子プログラムガイドを、上記情報受信手段と該情報受信手段とは別に設けた通信手段の少なくともどちらかから取得することを特徴とする請求項６記載の情報記録再生装置。
【請求項８】
受信した情報から予め設定した情報を所定の記録媒体に記録し、
上記記録媒体に記録する情報と上記記録媒体に記録した情報の少なくともどちらかを予め設定しておいた基準値と比較して記録情報の品位の低下を検出し、
上記品位の低下を検出した際に、上記予め設定した情報と略同様の情報の送信情報を取得し検索して、上記略同様の情報の送信予定があることを検出した場合に、該送信予定に従い上記略同様の情報の受信予約を行って上記記録媒体に記録自在にすることを特徴とする情報記録再生装置の情報記録方法。
【発明の詳細な説明】
【技術分野】
【０００１】
本発明は、放送等の情報を受信し、ＨＤＤ（Hard Disk Drive）や、ＤＶＤ（Digital Versatile Disc）等のメディアに記録し、また、記録した情報の出力、再生が可能で、特に、ＥＰＧ（Electric Program Guide）を用いて予約録画が可能な情報記録再生装置、及び、情報記録再生装置の情報記録方法に関する。
【背景技術】
【０００２】
近年、受信した放送を、内蔵のＨＤＤ（Hard Disk Drive）や、ＤＶＤ（Digital Versatile Disc）等のメディアに記録し、また、記録した情報の出力、再生が可能で、更に、ＥＰＧ（Electric ProgramGuide）を用いて予約録画が可能な、所謂、ＨＤＤビデオレコーダ、ＤＶＤビデオレコーダ、ＨＤＤビデオレコーダ内蔵デジタルテレビ等の情報記録再生装置が開発され実用化されている。
【０００３】
このような従来の情報記録再生装置では、ユーザが番組の録画予約を行う場合、録画動作は正常に動作し終了しているにもかかわらず、録画中に発生した気象条件の悪化、受信設備の異常、その他の理由により、品位の悪い画像が録画されていたり、全く映像が録画されていなかったりする現象が発生する場合がある。
【０００４】
こうした場合、従来の情報記録再生装置においては、録画画面の品位の低下を検出する手段および品位低下の発生履歴を残す手段がないため、ユーザは録画終了後の録画画面の内容を再生し、品位低下箇所を確認する作業をしなければ品位低下画面の録画を行ったことを認識できない。
【０００５】
そこで、例えば、特開２００１−１３５０２６号公報では、複数の記録媒体と複数の記録再生装置を備えたビデオライブラリシステムにおいて、記録エラーが発生した場合には、記録媒体が不良か記録再生装置が不良かを判断しつつ、異常のない記録媒体、記録再生装置を適宜選択し記録を行わせ、また、エラーが発生したことを外部に報知する技術が開示されている。
【特許文献１】特開平２００１−１３５０２６号公報
【発明の開示】
【発明が解決しようとする課題】
【０００６】
しかしながら、上述の特許文献１の技術は、複数の記録媒体と複数の記録再生装置を備えたビデオライブラリシステムについては、有効に録画補償の機能を果たすことができるものの、一般に、１つの記録再生装置、１つの記録媒体で放送を録画する情報記録再生装置では、適切な対応ができないという問題がある。また、上述の特許文献１では、その記録が放送を記録するようなものではないため、放送を記録することを目的としたＨＤＤビデオレコーダ、ＤＶＤビデオレコーダ、ＨＤＤビデオレコーダ内蔵デジタルテレビ等の情報記録再生装置に特有の課題が解決できないという問題がある。すなわち、従来の情報記録再生装置では、画面の品位低下が発生した録画番組に対して、リピート放送が設定されており、再度録画をし直す機会がユーザに提供されていた場合においても、ユーザの操作により録画予約作業を行わなければならない。従って、リピート放送される前に、録画画面の品位低下を検出できなければ番組を満足な状態で録画するタイミングを逸してしまうという課題がある。
【０００７】
本発明は上記事情に鑑みてなされたもので、ユーザが記録された情報を再生し確認することなく、異常な記録は自動的にリカバーし、ユーザの利便性を大幅に向上させることができる情報記録再生装置、及び、情報記録再生装置の情報記録方法を提供することを目的とする。
【課題を解決するための手段】
【０００８】
本発明は、情報を受信する情報受信手段と、上記情報受信手段で得られる上記情報から予め設定した情報を所定の記録媒体に記録する情報記録手段と、上記記録媒体に記録する情報と上記記録媒体に記録した情報の少なくともどちらかを予め設定しておいた基準値と比較して記録情報の品位の低下を検出する品位低下検出手段と、上記品位低下検出手段で上記記録情報の品位の低下を検出した際に、上記予め設定した情報と略同様の情報の送信情報を取得し検索して、上記略同様の情報の送信予定があることを検出した場合に、該送信予定に従い上記略同様の情報の受信予約を行って上記記録媒体に記録自在にする情報記録補償手段とを備えたことを特徴としている。
【発明の効果】
【０００９】
本発明による情報記録再生装置、及び、情報記録再生装置の情報記録方法によれば、ユーザが記録された情報を再生し確認することなく、異常な記録は自動的にリカバーし、ユーザの利便性を大幅に向上させることが可能となる。
【発明を実施するための最良の形態】
【００１０】
以下、図面に基づいて本発明の実施の形態を説明する。  
図１〜図３は本発明の実施の一形態を示し、図１はＨＤＤビデオレコーダ内蔵デジタルテレビ全体の概略構成を示すブロック図、図２はＨＤＤビデオレコーダ内蔵デジタルテレビの予約録画プログラムのフローチャート、図３はユーザが選択する各表示画面の説明図である。尚、本実施の形態においては、情報記録再生装置の一例としてＨＤＤビデオレコーダ内蔵デジタルテレビを例に説明する。
【００１１】
図１において、符号１はＨＤＤビデオレコーダ内蔵デジタルテレビを示し、このＨＤＤビデオレコーダ内蔵デジタルテレビ１には、放送を受信するアンテナ２と、電話線やＬＡＮ（Local Area Network）等のインターネットと接続可能な通信回線３とが接続されている。
【００１２】
ＨＤＤビデオレコーダ内蔵デジタルテレビ１は、主制御部１ａ、受信部１ｂ、ＨＤＤ記録再生部１ｃ、デコーダ部１ｄ、映像信号生成部１ｅ、モニタ部１ｆ、通信制御部１ｇ、ＥＰＧデコーダ１ｈ、メモリ１ｉ、操作部１ｊ、切換部１ｋ、記録異常表示ＬＥＤ１ｌから主要に構成されている。
【００１３】
１ｂ〜１ｌの全ての構成部は、マイクロコンピュータ（略称：マイコン）で構成した主制御部１ａにより制御される。
【００１４】
モニタ部１ｆにより受信した放送をそのまま表示する場合には、放送された電波は、アンテナ２により受信され、受信部１ｂを経由して受信した映像データストリームをデコーダ部１ｄに出力する。そして、デコーダ部１ｄに出力されたエンコードされている信号は、元の信号にデコードされ、映像信号生成部１ｅにより映像信号が生成されてモニタ部１ｆにより表示される。
【００１５】
また、録画状態の場合には、受信部１ｂを経由して受信した映像データストリームは、ＨＤＤ記録再生部１ｃに出力され、ＨＤＤ記録再生部１ｃにてＨＤＤに記録される。そして、ＨＤＤに記録されたデータを再生する場合には、ＨＤＤ記録再生部１ｃからデコーダ部１ｄに出力し、このデコーダ部１ｄに出力されたエンコードされている信号は、元の信号にデコードされ、映像信号生成部１ｅにより映像信号が生成されてモニタ部１ｆにより表示される。
【００１６】
通信制御部１ｇには、通信回線３が接続されており、後述するようにユーザがＥＰＧデータ（電子プログラムガイドのデータ）の取得先をインターネットに設定していた場合、主制御部１ａは、記録情報の品位の低下があった際に、この通信制御部１ｇを介してインターネットに接続し、ＥＰＧデータを取得してＥＰＧデコーダ１ｈを用いて放送中および放送予定の番組情報を取得する。尚、ユーザがＥＰＧデータの取得先をアンテナ２からの受信情報に設定していた場合は、主制御部１ａは、記録情報の品位の低下があった際に、アンテナ２、受信部１ｂを介して放送を受信し、この放送データからＥＰＧデータを取得する。そして、ＥＰＧデコーダ１ｈを用いて放送中および放送予定の番組情報を取得する。
【００１７】
ここで、主制御部１ａによる記録情報の品位の低下とは、例えば、気象条件の悪化等で生じる搬送波の受信レベルの低下や、記録媒体であるＨＤＤ側の異常等により生じる記録情報の品位の低下であり、この記録品位のレベルが、予め主制御部１ａに設定しておいた閾値（予め設定しておいた基準値）以下になったとき、記録情報の品位が低下していると判断するものである。
【００１８】
また、メモリ１ｉは、主制御部１ａが記録情報の品位が低下した際に定期的に演算する、録画中番組の録画予定時間に対する記録情報の品位の低下時間の積算値（品位低下時間割合）Ａra、すなわち、予め設定した情報を記録媒体に記録する全体の記録時間の中での品位が低下した情報記録の時間の割合を記録するものである。例えば、番組の録画時間が１時間である場合、記録情報の品位が低下した状態の時間が合計３０分検出されたとき、この品位低下時間割合Ａraの値は５０％となる。
【００１９】
更に、操作部１ｊは、ユーザがＨＤＤビデオレコーダ内蔵デジタルテレビに対しての様々な操作をリモコン装置やスイッチ等で行う部分であり、再生チャンネル、音声ボリューム等の様々な再生条件や、予約時間、記録レート、満足する録画ができない場合の後述する種々の条件等の録画条件を入力するものである。
【００２０】
また、切換部１ｋは、記録情報の品位の低下があった場合に、ユーザがＥＰＧデータをインターネット側から取得するか、或いは、アンテナ側から取得するかを選択する部分であり、例えば、図３（ａ）に示すように、「ＥＰＧはどちらから取得しますか」に対し、「インターネット」と「アンテナ」の選択肢が用意されている。
【００２１】
更に、記録異常表示ＬＥＤ１ｌは、ユーザが容易に確認できる位置に設けられており、記録情報の品位の低下が生じた場合に点灯されるＬＥＤである。
【００２２】
以上のように、本発明の実施の形態においては、アンテナ２と受信部１ｂとで情報受信手段としての機能を有し、ＨＤＤ記録再生部１ｃが情報記録手段としての機能を有し、記録異常表示ＬＥＤ１ｌが報知手段としての機能を有し、主制御部１ａが品位低下検出手段と情報記録補償手段と品位低下時間割合演算手段としての機能を有して構成されている。
【００２３】
次に、上記構成の作用について、図２の予約録画プログラムのフローチャートで説明する。まず、ステップ（以下、「Ｓ」と略称）１０１で録画開始時間になったか否か判定し、録画開始時間になった場合にはＳ１０２に進み、録画開始時間になっていない場合には、録画開始時間になるまで処理を進めず待機する。
【００２４】
Ｓ１０１で録画開始時間となったと判定し、Ｓ１０２に進むと、録画開始処理が実行され、Ｓ１０３に進み、録画品位の検出を実行するか否か、ユーザによる設定が参照される。このユーザによる選択は、例えば、図３（ｂ）に示すような、操作部１ｊの選択表示により行い、「録画品位の検出をしますか」に対し、「ＹＥＳ」、或いは、「ＮＯ」のどちらかを選択することにより予め行われる。
【００２５】
このＳ１０３の判定の結果、録画品位の検出を実行しないと設定されていると判定した場合はＳ１０６へとジャンプし、録画品位低下時の再録画を実行すると設定されていると判定した場合はＳ１０４に進む。
【００２６】
Ｓ１０４に進むと、録画品位が低下したか否か判定され、録画品位が低下していない場合は、Ｓ１０５に進んで、録画品位低下時間の測定を終了し、Ｓ１０６に進む。
【００２７】
Ｓ１０３の判定の結果、或いは、Ｓ１０５からＳ１０６に進むと、録画終了時間（ユーザの操作による録画中断も含む）になったか否かが判定され、録画終了時間になっていない場合は、再びＳ１０３に戻り、録画終了時間になっているのであれば、Ｓ１０７に進み、録画の終了処理を行って、Ｓ１０８に進む。
【００２８】
そして、Ｓ１０８では、録画品位の低下があったか否か判定され、録画品位の低下がなかった場合は、そのままプログラムを抜け、録画品位の低下があった場合は、Ｓ１０９に進む。
【００２９】
Ｓ１０９では、録画品位低下時の再録画を実行するか否か、ユーザによる設定が参照される。このユーザの選択は、前出した図３（ｂ）に示すように、ユーザが「録画品位の検出をしますか」に対し、「ＹＥＳ」を選択した場合に、さらに録画品位低下時の再録画を「する」或いは「しない」を選択することにより予め行われる。
【００３０】
このＳ１０９の判定の結果、録画品位低下時の再録画を実行すると設定されていると判定した場合はＳ１１０に進み、録画品位低下時の再録画を実行しないを設定されていると判定した場合はプログラムを抜ける。
【００３１】
Ｓ１１０に進むと、ユーザ設定、すなわち、インターネット側か、或いは、アンテナ側のどちらかから、ＥＰＧを取得し、録画品位が低下した録画番組に対するリピート放送の時間を検索する。
【００３２】
その後、Ｓ１１１に進み、Ｓ１１０で検索したリピート放送を録画予約してプログラムを抜ける。
【００３３】
一方、上述のＳ１０４で録画品位が低下したと判定した場合は、Ｓ１１２に進み、録画品位の低下時間を測定中か否か判定し、測定中でないのであれば、Ｓ１１３に進み、録画品位の低下時間の測定を開始し、Ｓ１１４に進んで、記録異常表示ＬＥＤ１ｌを点灯させて、Ｓ１０３からの処理を繰り返す。
【００３４】
また、Ｓ１１２で録画品位の低下時間を測定中であると判定した場合には、Ｓ１１５に進み、番組録画予定時間に対する品位低下時間割合Ａraを積算して計算する。
【００３５】
次いで、Ｓ１１６に進み、品位低下時間割合Ａraが、予めユーザが設定した許容範囲内か否か判定し、許容範囲内であればＳ１０３からの処理を繰り返し、許容範囲内を超えていればＳ１１７へと進む。ここで、許容範囲のユーザによる設定は、例えば、図３（ｃ）に示すような、操作部１ｊの表示により行い、「録画品位低下時間の許容範囲を設定して下さい」に対し、表示されるスライドバーをスライドさせることにより設定される。
【００３６】
そして、許容範囲内を超えておりＳ１１７へと進むと、品位が低下した録画に対するユーザ設定が録画停止に選択されているか否か判定される。ここで、品位が低下した録画に対するユーザ設定の録画停止か否かの選択は、例えば、図３（ｄ）に示すような、操作部１ｊの選択表示により行い、「録画品位低下が許容範囲を超えた場合に録画停止しますか」に対し、「ＹＥＳ」、或いは、「ＮＯ」のどちらかを選択することにより予め行われる。
【００３７】
Ｓ１１７の判定の結果、録画停止が選択されているのであれば、Ｓ１１８に進み、録画を停止し、既に録画済みの領域を消去してＨＤＤの記録容量を確保して、Ｓ１０８からの処理を繰り返す。また、録画停止が選択されていない場合は、Ｓ１１９に進み、品位が低下した録画に対するユーザ設定が録画レートを下げるに選択されているか否か判定される。ここで、品位が低下した録画に対するユーザ設定の録画レートを下げるか否かの選択は、例えば、図３（ｅ）に示すような、操作部１ｊの選択表示により行い、「録画レートを下げて録画しますか」に対し、「ＹＥＳ」、或いは、「ＮＯ」のどちらかを選択することにより予め行われる。
【００３８】
Ｓ１１９の判定の結果、録画レートを下げるが選択されているのであれば、Ｓ１２０に進み、録画レートを下げ、Ｓ１０３からの処理を繰り返す。すなわち、高レートで録画する必要のなくなった番組記録に対し、そのまま高レートで録画してＨＤＤの記録容量を消費してしまうことを防止するのである。また、録画レートを下げるが選択されていないのであれば、そのままＳ１０３からの処理を繰り返す。
【００３９】
このように本発明の実施の形態によれば、録画中の番組の録画品位が低下した場合には、自動的にＥＰＧを取得し、録画品位が低下した録画番組に対するリピート放送の時間を検索して録画予約を行うようになっているので、ユーザが録画品位を確認しリピート放送を検索してこのリピート放送を録画予約する必要がなく、リピート放送を確実に録画でき、利便性を大幅に向上することができる。
【００４０】
また、たとえ、録画品位が低下した場合の録画も、ユーザの好みに合わせて、録画の停止、或いは、録画レートの低下を選択できるので、録画品位が低下した場合の録画もユーザの好みに合わせて活用することができる。
【００４１】
尚、本発明の実施の形態では、情報記録再生装置としてＨＤＤビデオレコーダ内蔵デジタルテレビを例に説明したが、他の装置、例えば、ＨＤＤビデオレコーダや、ＤＶＤビデオレコーダにも本発明が適用できることは云うまでもない。
【００４２】
また、本発明の実施の形態では、録画品位の低下した録画に対し、ユーザは録画停止の選択と録画レートを低下させることの選択の２つの選択ができる例で説明したが、どちらか一方の選択しかできない例であっても良い。
【図面の簡単な説明】
【００４３】
【図１】ＨＤＤビデオレコーダ内蔵デジタルテレビ全体の概略構成を示すブロック図
【図２】ＨＤＤビデオレコーダ内蔵デジタルテレビの予約録画プログラムのフローチャート
【図３】ユーザが選択する各表示画面の説明図
【符号の説明】
【００４４】
１    ＨＤＤビデオレコーダ内蔵デジタルテレビ（情報記録再生装置）
１ａ  主制御部（品位低下検出手段、情報記録補償手段、品位低下時間割合演算手段）
１ｂ  受信部（情報受信手段）
１ｃ  ＨＤＤ記録再生部（情報記録手段）
１ｄ  デコーダ部
１ｅ  映像信号生成部
１ｆ  モニタ部
１ｇ  通信制御部
１ｈ  ＥＰＧデコーダ
１ｉ  メモリ
１ｊ  操作部
１ｋ  切換部
１ｌ  記録異常表示ＬＥＤ（報知手段）
２    アンテナ（情報受信手段）
３    通信回線
代理人    弁理士    伊  藤    進
【図１】
2005176084.tif 000003
【図２】
2005176084.tif 000004
【図３】
2005176084.tif 000005